(57)【特許請求の範囲】
【請求項１】
内部の収容室に収容した液状化粧料を流路を通して開口から外部に押し出し出現可能とする液状化粧料容器において、
水溶性高分子を水に溶解し水分を蒸発させて成る密閉栓を、前記流路の開口側に有することを特徴とする液状化粧料容器。
【請求項２】
前記水溶性高分子は、前記収容室に収容されている液状化粧料が含有している原料であることを特徴とする請求項１記載の液状化粧料容器。
【請求項３】
前記水溶性高分子を水に溶解した溶解液に前記開口を浸漬し、その後、水分を蒸発させることで前記密閉栓を形成することを特徴とする請求項１又は２記載の液状化粧料容器。
【発明の詳細な説明】
【技術分野】
【０００１】
本発明は、液状化粧料容器に関する。
【背景技術】
【０００２】
従来、輸送時や使用時における落下や振動による液状化粧料の容器からの漏出を防止する液状化粧料容器（液体塗布具）として、以下の特許文献１に記載のものが知られている。この液状化粧料容器にあっては、容器本体と先端の塗布体との間に、内壁面から中心に向かって三個以上の突起が延びるように構成された塗布液供給体を、液漏れ抑制機構を兼ねる部品として備えている。
【特許文献１】特開２００２−１０８２９号公報
【発明の開示】
【発明が解決しようとする課題】
【０００３】
ここで、輸送時、保管時等の初回使用開始時までの時期において液状化粧料の漏出を防止するものとしては、簡易な構成が望まれるが、上記公報にあっては、その後の使用時の漏出防止にも兼用とされる塗布液供給体を用いているため、構成が複雑である。
【０００４】
本発明は、このような課題を解決するために成されたものであり、初回使用開始時までの時期における液状化粧料の漏出を簡易な構成で防止できる液状化粧料容器を提供することを目的とする。
【課題を解決するための手段】
【０００５】
本発明による液状化粧料容器は、内部の収容室に収容した液状化粧料を流路を通して開口から外部に押し出し出現可能とする液状化粧料容器において、水溶性高分子を水に溶解し水分を蒸発させて成る密閉栓を、流路の開口側に有することを特徴としている。
【０００６】
このような液状化粧料容器によれば、水溶性高分子を水に溶解し水分を蒸発させることで、流路の開口側に設けられた密閉栓が、初回使用開始時までの時期の液状化粧料の漏出を防止する一方で、初回使用開始時にあっては、使用者の操作により押し出されてくる液状化粧料が密閉栓中の多数の微細な孔内に入り込み、密閉栓の大部分が液状化粧料と接触することとなる結果、当該密閉栓は全体的に軟らかくなって液状化粧料と共に容易に押し出され、初回の使用が可能とされる。このため、初回使用開始時までの時期における液状化粧料の漏出を簡易な構成で防止できる。
【０００７】
因みに、初回使用開始時までの時期にあって輸送時や保管時等の振動により流路内に入り込んだ液状化粧料が密閉栓に接触した場合には、流路内の液状化粧料は、押し出されてくる液状化粧料とは異なり密閉栓中の多数の微細な孔内に入り込むことにはならず、密閉栓のうちの液状化粧料と接触する部分だけが表層的に軟らかく成るのに過ぎないので、液状化粧料の漏出を防止する機能は維持される。
【０００８】
ここで、水溶性高分子は、薬事法に基づく全成分表示の観点からすると、収容室に収容されている液状化粧料が含有している原料とするのが好ましい。
【０００９】
また、水溶性高分子を水に溶解した溶解液に開口を浸漬し、その後、水分を蒸発させることで密閉栓を形成する構成であると、容易に密閉栓を形成でき製造コストを低減できる。
【発明の効果】
【００１０】
このように本発明によれば、初回使用開始時までの時期における液状化粧料の漏出を簡易な構成で防止することが可能となる。
【発明を実施するための最良の形態】
【００１１】
以下、本発明による液状化粧料容器の好適な実施形態について説明する。図１は、本発明の実施形態に係る液状化粧料容器を示す縦断面図、図２は、図１に示す液状化粧料容器に採用されたパイプ部材及び密閉栓の拡大縦断面図であり、本実施形態の液状化粧料容器は、液状化粧料を容器内部に収容すると共に適宜使用者の操作により押し出して使用可能とするものである。
【００１２】
図１に示すように、液状化粧料容器１００は、液状化粧料Ｌを収容する収容室１ａを内部に備えた本体筒１と、この本体筒１の後端部に回転可能に装着された操作筒２とを使用者が相対回転すると、容器１００内に構成された押出機構としての螺合機構３及び回り止め機構４に従い、移動体５が前進又は後進し、移動体５の先端のピストン６が本体筒１の先端側に向かって繰り出されることで、収容室１ａの液状化粧料Ｌが先端側に向かって押し出され、この押し出される液状化粧料Ｌを、本体筒１の先端部のパイプ部材７を通して外部に出現させてブラシ８に吐出することで使用状態とするように構成されたものである。なお、押出機構は、ラチェット機構を有し移動体５及びピストン６の前進のみを許容する構成であっても良い。
【００１３】
上記パイプ部材７は、本体筒１の先端部に装着されたホルダ部７ａと、このホルダ部７ａの中央に設けられて前方に向かって延びるパイプ部７ｂとを備え、ホルダ部７ａの後側から押し出されてくる液状化粧料Ｌを、パイプ部７ｂ内に形成された流路７ｃを通して、その先端の開口７ｄから外部に出現可能とするものである。なお、ホルダ部７ａとパイプ部７ｂとは別体でも一体成形品でも良い。
【００１４】
ここで、特に本実施形態にあっては、パイプ部材７の先端の開口７ｄを塞ぐ密閉栓１０が、輸送時、保管時等の初回使用開始時までの時期における液状化粧料Ｌの漏出を防止するためのものとして設けられている。
【００１５】
この密閉栓１０は、図２に示すように、ここでは、パイプ部材７の開口７ｄから先端内に進入すると共に開口７ｄから丸みを有して膨出する形状とされている。
【００１６】
そして、この密閉栓１０は、水溶性高分子をその原料としている。
【００１７】
水溶性高分子としては、具体的には、有機物を用いることが可能であり、有機物としては、天然高分子、半合成高分子、合成高分子を用いることが可能である。
【００１８】
また、天然高分子としては、例えば、グアーガム、ローカストビンガム、クインスシードガム、カラギーナン、ガラクタン、アラビアガム、トラガカントガム、ベクチン、マンナン、デンプン等の植物系（多糖類系）や、例えば、キサンタンガム、デキストラン等の微生物系（多糖類系）や、例えばゼラチン等の動物系（蛋白類系）を用いることが可能である。
【００１９】
また、半合成高分子としては、例えば、メチルセルロース、エチルセルロース、ヒドロキシエチルセルロース、ヒドロキシプロピルセルロース、カルボキシメチルセルロース、メチルヒドロキシプロピルセルロース等のセルロース系や、例えば、可溶性デンプン、カルボキシメチルデンプン、メチルデンプン等のデンプン系や、例えば、アルギン酸プロピレングリコールエステル、アルギン酸塩等のアルギン酸系や、その他多糖類系誘導体を用いることが可能である。
【００２０】
また、合成高分子としては、例えば、ポリビニルアルコール、ポリビニルピロリドン、ポリビニルメチルエ−テル、カルボキシビニルポリマー、ポリアクリル酸ソーダ等のビニル系を用いることが可能である。
【００２１】
そして、ここでは、上記水溶性高分子のうち、容器１００に収容された液状化粧料Ｌが含有している原料（１種類でも複数種類でも可）を用いて、密閉栓１０が形成されている。
【００２２】
具体的には、上記原料を水に溶解した溶解液に、ホルダ部７ａ及びパイプ部７ｂを有するパイプ部材７を逆さにしてその開口７ａを浸漬し、その後、引き上げて水分を蒸発させて図２に示すように密閉栓１０を形成する。このように密閉栓１０は容易に形成でき、製造コストの低減が図られている。
【００２３】
そして、図１に示すように、密閉栓１０を先端に有すると共にブラシ８等を装着したパイプ部材７を、押出機構、移動体５、ピストン６、液状化粧料Ｌ等を本体筒１及び操作筒２内に内蔵した組立体のその先端部に装着することによって、密閉栓１０により液状化粧料Ｌを容器１００内に密閉状態とした液状化粧料容器１００が得られる。なお、液状化粧料Ｌはパイプ部材７のパイプ部７ａ内の先端まで進入していても、密閉栓１０との間に空間を有するようにして収容室１ａに収容されていても良い。
【００２４】
ここで、本実施形態の密閉栓１０は、水溶性高分子を水に溶解し水分を蒸発させて成るものであるから、液状化粧料と接触すると、液状化粧料に含まれる水に溶けて軟らかくなる（本発明者らの実験によれば、水溶性高分子が液状化粧料と接触してから軟らかくなるまでおよそ３０秒から１分程度である）。従って、初回使用開始時にあって使用者の操作により収容室１ａ内の液状化粧料Ｌが押し出される場合には、押し出されてくる液状化粧料Ｌが密閉栓１０中の多数の微細な孔内に入り込み、密閉栓１０の大部分が液状化粧料Ｌと接触することとなる結果、当該密閉栓１０は全体的に軟らかくなって液状化粧料Ｌと共に容易に押し出され、初回の使用が可能となる。
【００２５】
一方、初回使用開始時までの時期にあって輸送時や保管時等の振動により流路７ｃ内に入り込んだ液状化粧料Ｌが密閉栓１０に接触した場合には、流路７ｃ内の液状化粧料Ｌは、押し出されてくる液状化粧料Ｌとは異なり密閉栓１０中の多数の微細な孔内に入り込むことにはならず、密閉栓１０のうちの液状化粧料Ｌと接触する部分だけが表層的に軟らかく成るのに過ぎないので、液状化粧料の漏出を防止する機能は維持される。
【００２６】
すなわち、本実施形態においては、水溶性高分子を水に溶解し水分を蒸発させることで流路７ｃの開口７ｄ側に設けられた密閉栓１０が、初回使用開始時までの時期の液状化粧料の漏出を防止する一方で、初回使用開始時にあっては、使用者の操作により押し出されてくる液状化粧料Ｌによって液状化粧料Ｌと共に容易に押し出され、初回の使用が可能とされる結果、初回使用開始時までの時期における液状化粧料Ｌの漏出を簡易な構成で防止できる。
【００２７】
因みに、本発明者は、前述したポリビニルアルコール又はポリビニルピロリドンを原料として、前述した方法により密閉栓１０を得、当該密閉栓１０によって、初回使用開始時までの時期の液状化粧料Ｌの漏出を防止する一方で、初回使用開始時の押し出されてくる液状化粧料Ｌによって、密閉栓１０が容易に押し出され初回の使用が可能となることを確認した。
【００２８】
以上、本発明をその実施形態に基づき具体的に説明したが、本発明は上記実施形態に限定されるものではなく、例えば、上記実施形態においては、薬事法に基づく全成分表示の観点から特に好ましいとして、密閉栓１０の原料を、容器１００に収容された液状化粧料Ｌが含有している原料としているが、液状化粧料の原料であれば、容器１００に収容された液状化粧料Ｌが含有していない原料とすることも可能であり、さらには、密閉栓１０の原料は水溶性高分子であれば良い。
【００２９】
また、上記実施形態においては、特に好ましいとして、パイプ部材７及びブラシ８を有する液状化粧料容器１００に対する適用を述べているが、パイプ部材７やブラシ８を有していない例えば先端に疣やスポンジ等の塗布具を有する液状化粧料容器に対しても適用可能である。
【００３０】
また、上記実施形態においては、特に好ましいとして、螺子による繰り出し機構を有する回転式の液状化粧料容器１００に対する適用を述べているが、これとは相違する例えばノック式や、例えばチューブやソフトボトル等の単純なスクイーズ式の液状化粧料容器に対しても適用可能であり、要は、内部の収容室に収容した液状化粧料を流路を通して開口から外部に押し出し出現可能とする液状化粧料容器全てに対して適用可能である。
【図面の簡単な説明】
【００３１】
【図１】本発明の実施形態に係る液状化粧料容器を示す縦断面図である。
【図２】図１に示す液状化粧料容器に採用されたパイプ部材及び密閉栓の拡大縦断面図である。
【符号の説明】
【００３２】
１ａ…収容室、７ｃ…流路、７ｄ…開口、１０…密閉栓、１００…液状化粧料容器、Ｌ…液状化粧料。
【図１】
0005118559.tif 000002
【図２】
0005118559.tif 000003